(57)【要約】【課題】屋根の断熱施工の作業性を向上させる。【解決手段】合成樹脂発泡板１の片面側に、三方の縁部が外方へ延出した延出部４ａ，４ｂ，４ｃとなった表面シート２を付設した屋根用断熱材を用い、前記合成樹脂発泡板１を室内側から垂木３，３間に挿入し、前記延出部４ａ，４ｂ，４ｃを垂木又は母屋材へ取り付ける施工方法とする。【選択図】図２
2011026912.tif 000002
【特許請求の範囲】
【請求項１】
合成樹脂発泡板と、その片面側に付設された表面シートとを備え、該表面シートの少なくとも二方の縁部が外方へ延出した延出部となった屋根用断熱材の前記合成樹脂発泡板を、前記表面シートの付設面を室内側にして、室内側から垂木間に挿入し、前記延出部を垂木又は母屋材へ取り付けることを特徴とする屋根の断熱施工方法。
【請求項２】
前記合成樹脂発泡板の前記表面シートの付設面とは反対側の面に熱線反射材が付設されており、しかも前記合成樹脂発泡板と熱線反射材の合計厚さが垂木の高さより薄くなっていることを特徴とする請求項１に記載の屋根の断熱施工方法。
【請求項３】
前記表面シートが合成樹脂フィルムであり、しかも前記合成樹脂発泡板への付設が接着剤による部分的な接着で行われていることを特徴とする請求項１又は２に記載の屋根の断熱施工方法。
【請求項４】
建物の屋根の垂木間の間隔に対応する幅を有する合成樹脂発泡板が、前記垂木の幅よりも小さな間隔を開けて幅方向に複数並列されており、この並列された複数の合成樹脂発泡板の片面側に、各合成樹脂発泡板間に跨がる表面シートが付設されており、該表面シートの少なくとも二方の縁部が並列された複数の合成樹脂発泡板の集合体より外方へ延出した延出部となっていると共に、前記表面シートが伸縮性を有していることを特徴とする屋根用断熱材。
【請求項５】
前記各合成樹脂発泡板の前記表面シートの付設面とは反対側の面に熱線反射材が付設されており、しかも前記合成樹脂発泡板と熱線反射材の合計厚さが前記垂木の高さより薄くなっていることを特徴とする請求項４に記載の屋根用断熱材。
【請求項６】
前記表面シートが合成樹脂フィルムであり、しかも前記合成樹脂発泡板への付設が接着剤による部分的な接着で行われていることを特徴とする請求項４又は５に記載の屋根用断熱材。
【請求項７】
請求項４〜６のいずれか１項に記載の屋根用断熱材を用い、相隣接する前記合成樹脂発泡板を、前記表面シートの付設面を室内側にし、前記表面シートを弾性的に引き伸ばして、室内側から前記垂木間にそれぞれ挿入し、前記表面シートの収縮力による垂木の挟み付けにより仮止めした後、前記延出部を垂木又は母屋材へ取り付けることを特徴とする屋根の断熱施工方法。
【発明の詳細な説明】
【技術分野】
【０００１】
本発明は、建物の屋根の断熱に用いる屋根用断熱材及び屋根の断熱施工方法に関するもので、特に屋根の断熱改修に適した屋根用断熱材及び屋根の断熱施工方法に関する。
【背景技術】
【０００２】
従来、屋根用断熱材としては合成樹脂発泡板が広く使用されており、断熱施工方法としては、断熱材を屋根の垂木間に室内側から押し込んだ状態で、垂木に受具を取り付けて断熱材を固定する方法と、垂木に受具を取り付けてから、受具間に断熱材を押し込んで固定する方法とが提案されている（例えば、特許文献１参照）。
【先行技術文献】
【特許文献】
【０００３】
【特許文献１】特開平４−７０４４１号公報
【発明の概要】
【発明が解決しようとする課題】
【０００４】
しかしながら、上記従来の方法では、断熱材とは別に受具を用意し、１枚の断熱材毎にそれぞれ複数個の受具を垂木に取り付けなければならず、作業性が悪い問題がある。特に、断熱材を垂木間に押し込んだ状態で垂木に受具を取り付ける方法では、受具の取り付けを断熱材を垂木間に押さえ付けながら行わなければならず、受具の取り付け自体が行いにくい問題がある。特に屋根の断熱改修は室内側から行われ、狭い屋根裏での作業となるので、重労働であり、特に夏場は高温下での作業となるので、短時間で作業を完了できるようにすることが望まれている。
【０００５】
本発明は、上記従来の問題点に鑑みてなされたもので、屋根の断熱施工の作業性を向上させることを目的とする。特に屋根の断熱改修の作業性を向上させることを目的とする。
【課題を解決するための手段】
【０００６】
本発明の第１は、合成樹脂発泡板と、その片面側に付設された表面シートとを備え、該表面シートの少なくとも二方の縁部が外方へ延出した延出部となった屋根用断熱材の前記合成樹脂発泡板を、前記表面シートの付設面を室内側にして、室内側から垂木間に挿入し、前記延出部を垂木又は母屋材へ取り付けることを特徴とする屋根の断熱施工方法を提供するものである。
【０００７】
上記本発明の第１は、前記合成樹脂発泡板の前記表面シートの付設面とは反対側の面に熱線反射材が付設されており、しかも前記合成樹脂発泡板と熱線反射材の合計厚さが垂木の高さより薄くなっていること、
前記表面シートが合成樹脂フィルムであり、しかも前記合成樹脂発泡板への付設が接着剤による部分的な接着で行われていること、
をその好ましい態様として含むものである。
【０００８】
本発明の第２は、建物の屋根の垂木間の間隔に対応する幅を有する合成樹脂発泡板が、前記垂木の幅よりも小さな間隔を開けて幅方向に複数並列されており、この並列された複数の合成樹脂発泡板の片面側に、各合成樹脂発泡板間に跨がる表面シートが付設されており、該表面シートの少なくとも二方の縁部が並列された複数の合成樹脂発泡板の集合体より外方へ延出した延出部となっていると共に、前記表面シートが伸縮性を有していることを特徴とする屋根用断熱材を提供するものである。
【０００９】
上記本発明の第２は、前記各合成樹脂発泡板の前記表面シートの付設面とは反対側の面に熱線反射材が付設されており、しかも前記合成樹脂発泡板と熱線反射材の合計厚さが前記垂木の高さより薄くなっていること、
前記表面シートが合成樹脂フィルムであり、しかも前記合成樹脂発泡板への付設が接着剤による部分的な接着で行われていること、
をその好ましい態様として含むものである。
【００１０】
更に本発明の第３は、上記本発明の第２に係る屋根用断熱材を用い、相隣接する前記合成樹脂発泡板を、前記表面シートの付設面を室内側にし、前記表面シートを弾性的に引き伸ばして、室内側から前記垂木間にそれぞれ挿入し、前記表面シートの収縮力による垂木の挟み付けにより仮止めした後、前記延出部を垂木又は母屋材へ取り付けることを特徴とする屋根の断熱施工方法を提供するものである。
【発明の効果】
【００１１】
本発明の第１によれば、合成樹脂発泡板を垂木間に挿入し、合成樹脂発泡板と一体となっている延出部をタッカーなどで垂木又は母屋材に取り付けるだけで屋根用断熱材の取り付けを行うことができ、作業性が向上する。また、相隣接して設けられる屋根用断熱材における延出部同士を重ね合わせることで、気密性を向上させることができる。
【００１２】
また、本発明の第２及び第３によれば、表面シートの伸縮性を利用して仮止めすることができるので、施工性が一層向上する。また、軒先付近になると屋根裏空間が狭くタッカーなどによる固定作業がしにくくなるが、上記仮止め力があるので、固定作業を省略することが可能となる。
【００１３】
更に、表面シートの付設面とは反対側の面に熱線反射材が付設されており、しかも合成樹脂発泡板と熱線反射材の合計厚さが垂木の高さより薄くなっていると、熱線反射材と野地板の間に確実に空間（空気層）を確保することができ、熱線反射材による断熱効果の向上作用を高めることができる。また、表面シートが合成樹脂フィルムであり、しかも合成樹脂発泡板への付設が接着剤による部分的な接着で行われていると、延出部にシワが寄ったりカールを生じにくく、延出部の張り出し状態を垂木や母屋材などへの固定作業が行いやすい状態に維持しやすくなる。
【図面の簡単な説明】
【００１４】
【図１】本発明に係る屋根の断熱施工方法に用いる屋根用断熱材の一例を示す斜視図である。
【図２】図１に示される屋根用断熱材を用いた屋根の断熱施工方法の説明図である。
【図３】本発明に係る屋根の断熱施工方法に用いる屋根用断熱材の他の例を示す斜視図である。
【図４】図３に示される屋根用断熱材の取り付け状態を示す図である。
【図５】本発明に係る屋根用断熱材の一例を示す平面図である。
【図６】図５に示される屋根用断熱材を用いた屋根の断熱施工方法の説明図である。
【発明を実施するための形態】
【００１５】
まず、図１及び図２に基づいて本発明に係る屋根の断熱施工方法の一例を説明する。
【００１６】
図１に示されるように、使用する屋根用断熱材は、合成樹脂発泡板１の片面側に表面シート２を付設したものとなっている。合成樹脂発泡板１と表面シート２は、いずれも平面長方形状をなしており、合成樹脂発泡板１の幅（短辺方向の長さ）は図２に示される屋根の垂木３，３間の間隔（垂木３，３間の空間幅）に対応する長さとなっている。また、表面シート２の三方の縁部は合成樹脂発泡板１よりも外方に延出しており、三方に延出部４ａ，４ｂ，４ｃを形成している。延出部４ａ，４ｂ，４ｃは、取付片として用いられるもので、取り付け時に垂木３に対応する両長辺側と、一方の短辺側とに設けられていることが好ましい。なお、本発明において、垂木３，３間の間隔に対応する合成樹脂発泡板１の幅とは、垂木３，３間に挿入することができる幅で、しかも１ｃｍ以上の隙間を生じないことをいう。尚、本例では、表面シート２の三方の縁部が合成樹脂発泡体１よりも外方に延出しているが、本発明においては、少なくとも二方の縁部が延出していれば良く、好ましくは三方以上である。
【００１７】
合成樹脂発泡板１としては、例えばポリスチレン系発泡板、ポリエチレン系発泡板、ポリプロピレン系発泡板、ポリウレタン系発泡板、フェーノール樹脂系発泡板などを用いることができるが、吸水性が低く、断熱性に優れることから、ポリスチレンの発泡板が好ましい。表面シート２としては、例えば、厚みが２０〜２００μｍ程度のポリエチレンフィルム、ポリエステルフィルムを好ましく用いることができる。また、不織布シートなどを用いることもできるが、気密性を得やすくするために、合成樹脂のコーティングが施されたものが好ましい。
【００１８】
表面シート２として気密性が得やすい合成樹脂フィルムを用いる場合、合成樹脂発泡板１への付設は、熱ラミネーションによってもよいが、延出部４ａ，４ｂ，４ｃを平坦でカールのない状態に保ちやすくするために、接着剤による部分接着（例えば多数の点又はライン状接着）によることが好ましい。また、同様の理由から、用いる合成樹脂フィルムは無延伸フィルムであることが好ましい。
【００１９】
上記合成樹脂発泡板１及び表面シート２を備えた屋根用断熱材の取り付けは、図２（ａ）に示されるように、合成樹脂発泡板１を、表面シート２の付設面を室内側にして、室内側から垂木３，３間に挿入し、延出部４ａ，４ｃを垂木３，３にタッカーや釘打ちなどで取り付けることで行われる。また、図２（ｂ）に示されるように、垂木３を挟んで短辺方向に相隣接する屋根用断熱材間において、隣接する延出部４ａと延出部４ｃを重ね合わせるようにすると、屋根の気密性を向上させることができる。また、短辺側に延出している延出部４ｂは、対応する位置に母屋材（図示されていない）が存在する場合には母屋材へ取り付けることができる。また、延出部４ｂは、長辺方向に相隣接する他の屋根用断熱材の表面シート２に重ね合わせることで、屋根の気密性を向上させることができる。なお、図２において５は野地板である。
【００２０】
本発明に係る屋根の断熱施工方法には、図３に示されるような屋根用断熱材を用いることもできる。この屋根用断熱材は、基本的には図１で説明した屋根用断熱材と同じであるが、合成樹脂発泡板１の表面シート２の付設面とは反対側に熱線反射材６が付設されている点が相違している。熱線反射材６は、例えばアルミニウム箔などの反射層を有するフィルムである。この屋根用断熱材の場合、図４に示されるように、合成樹脂発泡板１と熱線反射材６の合計厚さを垂木３の高さより薄くしておくことが好ましい。合成樹脂発泡板１と熱線反射材６の合計厚さを垂木３の高さより薄くしておくことにより、熱線反射材６と野地板５との間に確実に空間（空気層）を確保することができ、熱線反射材６を設けたことによる断熱効果の向上を効果的に引き出すことができる。通常、垂木３の高さは６０ｍｍであるので、合成樹脂発泡板１と熱線反射材６の合計厚さは２０〜５０ｍｍが好ましい。
【００２１】
次に、図５及び図６に基づいて、本発明に係る屋根用断熱材の一例と、それを用いた断熱施工方法を説明する。
【００２２】
図５に示されるように、平面長方形をなす複数の合成樹脂発泡板１，１，…が幅方向に間隔を開けて並列されている。各合成樹脂発泡板１，１，…は、図６に示される垂木３，３間の間隔に対応する幅を有するものとなっている。また、並列された合成樹脂発泡板１，１，…間の間隔Ｗ０は、図６に示される垂木３，３の幅Ｗ１より小さくなっている。
【００２３】
上記並列された合成樹脂発泡板１，１，…の片面側には、各合成樹脂発泡板１，１，…間に跨る表面シート２が付設されている。この表面シート２の三方の縁部は、並列された合成樹脂発泡板１，１，…の集合体より外方へ延出した延出部４ａ，４ｂ，４ｃとなっている。また、本例における表面シート２は、例えばポリエチレンフィルムなど、伸縮性を有する材料で構成されている。
【００２４】
上記屋根用断熱材の取り付けも、基本的には図２での説明と同様にして行われるが、相隣接する合成樹脂発泡板１，１をそれぞれ垂木３，３間に挿入するに際し、表面シート２を弾性的に引き伸ばし、合成樹脂発泡板１と１の間の間隔が広げられる。合成樹脂発泡板１と１の間の間隔を弾性的に広げて垂木３，３間に挿入することで、表面シート２の収縮力によって合成樹脂発泡板１，１が垂木３を挟み付け、これにより仮止めすることができる。そして、同様にして各合成樹脂発泡板１，１，…を垂木３，３間に挿入することで、屋根用断熱材全体を仮止め状態で設置することができる。したがって、延出部４ａ，４ｃの垂木３，３への取り付けや延出部４ｂの母屋材への取り付けはこの仮止め状態で行うことができ、作業性が向上する。
【００２５】
伸縮性を有する表面シート２で並列状態で連結しておく合成樹脂発泡板１，１，…の枚数は、複数枚であれば特に制限はないが、狭い屋根裏への搬入性などの点から、２〜４枚程度とすることが好ましい。また、合成樹脂発泡板１，１，…には、図２で説明した熱線反射材６を付設しておくこともできる。
【符号の説明】
【００２６】
１  合成樹脂発泡板
２  表面シート
３  垂木
４ａ，４ｂ，４ｃ  延出部
５  野地板
６  熱線反射材
【図１】
2011026912.tif 000003
【図２】
2011026912.tif 000004
【図３】
2011026912.tif 000005
【図４】
2011026912.tif 000006
【図５】
2011026912.tif 000007
【図６】
2011026912.tif 000008